(57)【要約】【課題】プローブ装置を移動体に搭載しても、プローブ装置と無線基地局との間のスループットを測定することができるスループット測定システムを提供すること。【解決手段】移動体２に搭載されるプローブ装置３と、プローブ装置３と無線基地局４との間のスループットを表す情報を収集する情報収集装置５とを備え、情報収集装置５は、スループットの測定条件を表す測定条件情報をプローブ装置３に送信し、プローブ装置３は、測定条件情報が表す測定条件を満たし、移動体２が停止状態にあるときに、スループットの測定の開始を許容する。【選択図】図１
2010130171.tif 000002
【特許請求の範囲】
【請求項１】
移動体（２）に搭載されるプローブ装置（３）と、
前記プローブ装置と無線基地局（４）との間のスループットを表す情報を収集する情報収集装置（５）とを備え、
前記情報収集装置は、前記スループットの測定条件を表す測定条件情報を前記プローブ装置に送信し、
前記プローブ装置は、前記測定条件情報が表す測定条件を満たし、前記移動体が停止状態にあるときに、前記スループットの測定の開始を許容するスループット測定システム。
【請求項２】
前記プローブ装置は、前記移動体が非停止状態となったときには、前記スループットの測定を禁止することを特徴とする請求項１に記載のスループット測定システム。
【請求項３】
前記プローブ装置は、前記移動体の移動速度が規定速度未満のときには、前記移動体が停止状態にあると判断し、前記移動体の移動速度が前記規定速度以上のときには、前記移動体が非停止状態にあると判断することを特徴とする請求項１または請求項２に記載のスループット測定システム。
【請求項４】
前記プローブ装置は、前記測定条件情報が表す測定条件を満たし、前記移動体が停止状態にあるときに、前記情報収集装置に該プローブ装置の位置を表す位置情報を送信し、
前記情報収集装置は、前記位置情報が表す位置に応じて前記スループットの測定の開始を許容するか否かを判断することを特徴とする請求項１乃至請求項３の何れかに記載のスループット測定システム。
【発明の詳細な説明】
【技術分野】
【０００１】
本発明は、移動体通信システムにおける無線基地局と移動体に搭載されるプローブ装置との間のスループットを測定するスループット測定システムに関する。
【背景技術】
【０００２】
従来、車両から送信されるプローブ情報の収集対象となる収集対象地域における通信状態情報および道路交通情報の少なくともいずれか一方を取得し、取得した通信状態情報および道路交通情報の少なくともいずれか一方に基づいて、プローブ情報を収集する収集条件を決定し、決定した収集条件を、収集対象地域内に位置する車両に送信し、収集条件に適合する適合車両からプローブ情報を受信することにより、利用者の所望する条件を満たすプローブ情報を通信トラフィックに負荷をかけずに収集するものが知られている（例えば、特許文献１参照）。
【特許文献１】特開２００８−７７１４３号公報
【発明の開示】
【発明が解決しようとする課題】
【０００３】
しかしながら、このような従来の技術のように、プローブ情報を収集するプローブ装置を車両等の移動体に搭載すると、プローブ装置と無線基地局との間の距離や移動体周辺の建物の影響等が移動体の移動に伴って変化してしまい、プローブ装置の電波伝搬環境が変化してしまうため、プローブ装置と無線基地局との間のスループットを測定することができなくなってしまうといった課題があった。
【０００４】
本発明は、従来の課題を解決するためになされたもので、プローブ装置を移動体に搭載しても、プローブ装置と無線基地局との間のスループットを測定することができるスループット測定システムを提供することを目的とする。
【課題を解決するための手段】
【０００５】
本発明のスループット測定システムは、移動体（２）に搭載されるプローブ装置（３）と、前記プローブ装置と無線基地局（４）との間のスループットを表す情報を収集する情報収集装置（５）とを備え、前記情報収集装置は、前記スループットの測定条件を表す測定条件情報を前記プローブ装置に送信し、前記プローブ装置は、前記測定条件情報が表す測定条件を満たし、前記移動体が停止状態にあるときに、前記スループットの測定の開始を許容する構成を有している。
【０００６】
この構成により、本発明のスループット測定システムは、移動体が停止状態にあるときに、スループットの測定の開始を許容するため、プローブ装置を移動体に搭載しても、プローブ装置と無線基地局との間のスループットを測定することができる。
【０００７】
なお、前記プローブ装置は、前記移動体が非停止状態となったときには、前記スループットの測定を禁止するようにしてもよい。
【０００８】
この構成により、本発明のスループット測定システムは、スループットの測定開始後に、移動体が非停止状態になったときに、スループットの測定を禁止するため、測定誤差が大きくなる可能性が高いスループットの測定を中断することができる。
【０００９】
また、前記プローブ装置は、前記移動体の移動速度が規定速度未満のときには、前記移動体が停止状態にあると判断し、前記移動体の移動速度が前記規定速度以上のときには、前記移動体が非停止状態にあると判断するようにしてもよい。
【００１０】
この構成により、本発明のスループット測定システムは、移動体のある程度の移動を許容するため、スループットの測定結果が得られなくなることを防止することができる。
【００１１】
また、前記プローブ装置は、前記測定条件情報が表す測定条件を満たし、前記移動体が停止状態にあるときに、前記情報収集装置に該プローブ装置の位置を表す位置情報を送信し、前記情報収集装置は、前記位置情報が表す位置に応じて前記スループットの測定の開始を許容するか否かを判断するようにしてもよい。
【００１２】
この構成により、本発明のスループット測定システムは、測定が不要な位置にあるプローブ装置と無線基地局との間のスループットの測定を省くことができる。
【発明の効果】
【００１３】
本発明は、プローブ装置を移動体に搭載しても、プローブ装置と無線基地局との間のスループットを測定することができるスループット測定システムを提供することができる。
【発明を実施するための最良の形態】
【００１４】
以下、本発明の一実施の形態について、図面を参照して説明する。
【００１５】
図１に示すように、本発明の一実施の形態のスループット測定システム１は、移動体２に搭載されるプローブ装置３と、プローブ装置３と無線基地局４との間のスループットを表す情報を収集する情報収集装置５とを備えている。
【００１６】
なお、図１において、２つのプローブ装置３と、２つの無線基地局４が示されているが、本発明のスループット測定システムを構成するプローブ装置および無線基地局の数を限定するものではない。
【００１７】
図２に示すように、プローブ装置３は、移動体２の移動速度を検出する移動速度検出部１０と、ＧＰＳ（Global Positioning System）１１と、アンテナ１２と、無線基地局４とアンテナ１２を介した通信を行うための通信制御部１３と、スループットの測定条件を表す測定条件情報を格納するための測定条件情報格納部１４と、現在の状況が測定条件を満たすか否かを判断する測定条件判断部１５と、スループットを測定するときに用いる測定用データを格納する測定用データ格納部１６とを備えている。
【００１８】
移動速度検出部１０は、移動体２が車両である場合には、当該車両の速度を検知する車速センサによって構成されている。なお、移動速度検出部１０は、移動体２に固定された加速度センサを用いて構成してもよい。
【００１９】
通信制御部１３は、ＣＰＵ（Central Processing Unit）等のプロセッサおよび無線通信モジュール等によって構成され、アンテナ１２を介して、情報収集装置５とのセションの確立、ならびに、後述する各種のメッセージおよびデータの送受信等を行うようになっている。
【００２０】
測定条件情報格納部１４は、フラッシュメモリやハードディスク装置等の不揮発性の記憶媒体によって構成されている。なお、測定条件情報格納部１４は、移動体２やバッテリにより電源が常時供給されていれば、揮発性の記憶媒体によって構成されてもよい。
【００２１】
測定条件情報格納部１４に格納されている測定条件情報は、少なくとも、測定時間間隔と、下り方向のスループットを測定するために情報収集装置５側からダウンロードする測定用データを含むファイルのパス名およびファイル名とを表している。
【００２２】
測定条件判断部１５は、ＣＰＵ等のプロセッサによって構成され、ＧＰＳ１１から得られる現在時刻と、測定条件情報格納部１４に格納されている測定条件情報が表す測定時間間隔とに基づいて、現在時刻がスループットの測定を開始する時刻であるか否かを判断するようになっている。
【００２３】
また、測定条件判断部１５は、移動速度検出部１０から得られる移動速度が規定速度未満のときには、移動体２が停止状態にあると判断し、規定速度以上のときには、移動体２が非停止状態にあると判断するようになっている。
【００２４】
ここで、規定速度は、スループット測定システム１の帯域、および、スループットを測定するための測定用データのサイズに応じて予め定められ、フラッシュメモリやハードディスク装置等の不揮発性の記憶媒体に予め記憶されている。
【００２５】
例えば、スループット測定システム１の帯域が数Ｍｂｐｓで、測定用データのサイズが６０Ｋバイト程度の場合には、スループットの測定には、３０秒程度必要となるため、本実施の形態においては、この３０秒間の移動体２の移動許容距離を１００ｍとして、規定速度を時速１２ｋｍとする。
【００２６】
測定条件判断部１５は、現在時刻がスループットの測定を開始する時刻であり、移動体２が停止状態にあると判断した場合には、通信制御部１３にスループットの測定を許可するようになっている。
【００２７】
通信制御部１３は、スループットの測定が許可されると、自己を識別するためのＩＤと、ＧＰＳ１１から得られる位置情報とを含み、情報収集装置５にスループットの測定開始を要求する旨の測定開始要求メッセージを送信するようになっている。
【００２８】
ここで、通信制御部１３は、情報収集装置５からスループットの測定開始を許可する旨の測定開始許可メッセージを受信した場合には、情報収集装置５から測定用データをダウンロードし、次いで、測定用データ格納部１６に格納された測定用データを情報収集装置５にアップロードするようになっている。なお、通信制御部１３は、例えば、ＦＴＰ（File Transfer Protocol）に準拠して測定用データのダウンロードおよびアップロードを行うＦＴＰクライアントとして機能する。
【００２９】
測定用データ格納部１６は、フラッシュメモリやハードディスク装置等の不揮発性の記憶媒体によって構成されている。なお、測定用データ格納部１６は、移動体２やバッテリにより電源が常時供給されていれば、揮発性の記憶媒体によって構成されてもよい。
【００３０】
また、本実施の形態において、測定用データのサイズは、前述したように６０Ｋバイト程度とし、情報収集装置５からダウンロードした測定用データも、測定用データ格納部１６に格納されるものとする。
【００３１】
通信制御部１３が測定用データのダウンロードやアップロードをしているときに、測定条件判断部１５は、移動体２が非停止状態にあると判断した場合には、通信制御部１３に測定用データのダウンロードやアップロードを禁止するようになっている。
【００３２】
スループットの測定が禁止されると、通信制御部１３は、測定用データのダウンロードやアップロードを中止し、ダウンロードまたはアップロードを中止した旨を表す測定中止メッセージを情報収集装置５に送信するようになっている。
【００３３】
図３に示すように、情報収集装置５は、無線基地局４と通信するための基地局インタフェイス（以下、「ＩＦ」という。）２０と、プローブ装置３と無線基地局４を介した通信を行うための通信制御部２１と、スループットの測定条件を設定するための設定部２２と、設定部２２によって設定された設定情報を格納するための設定情報格納部２３と、スループットの測定を許可するか否かを判断する測定許可判断部２４と、スループットを測定するときに用いる測定用データを格納する測定用データ格納部２５と、スループットを測定するスループット測定部２６と、時計２７と、スループット測定部２６の測定結果を格納する測定結果格納部２８と、測定結果格納部２８に格納された測定結果を表示する表示部２９と、設定情報格納部２３に格納された設定情報でプローブ装置３の測定条件情報を更新するか否かを判断する測定条件更新判断部３０とを備えている。
【００３４】
通信制御部２１は、ＣＰＵ等のプロセッサによって構成され、基地局ＩＦ２０および無線基地局４を介して、プローブ装置３とのセションの確立、ならびに、各種のメッセージおよびデータの送受信等を行うようになっている。
【００３５】
設定部２２は、ＣＰＵ等のプロセッサと、キーボード装置やポインティングデバイス等の入力装置とによって構成され、スループットの測定条件が設定できるようになっている。
【００３６】
ここで、スループットの測定条件には、測定エリアと測定時間帯との組み合わせが含まれる。例えば、測定エリアと測定時間帯との組み合わせの条件を満たす状態にあるプローブ装置３には、測定条件情報が表す測定時間間隔として１０分が設定され、この測定条件を満たす状態にないプローブ装置３には、測定条件情報が表す測定時間間隔として１時間が設定される。
【００３７】
設定情報格納部２３は、フラッシュメモリやハードディスク装置等の不揮発性の記憶媒体によって構成され、設定部２２に設定された測定条件を表す設定情報を格納するようになっている。
【００３８】
測定許可判断部２４は、ＣＰＵ等のプロセッサによって構成され、測定開始要求メッセージを受信した場合には、測定開始要求メッセージを送信したプローブ装置３に測定開始許可メッセージを送信するか否かを判断するようになっている。
【００３９】
具体的には、測定許可判断部２４は、測定開始要求メッセージを受信した場合には、自己がスループットを測定できる状態にあるか否かを自己の処理負荷に基づいて、測定開始要求メッセージを送信したプローブ装置３に測定開始許可メッセージを送信するか否かを判断するようになっている。
【００４０】
また、測定許可判断部２４は、測定開始要求メッセージに含まれる位置情報が表す位置が設定情報格納部２３に格納された設定情報が表す測定エリアに含まれているか否か、および、時計２７から得られる現在時刻が当該設定情報が表す測定時間帯に含まれているか否かに基づいて、測定開始要求メッセージを送信したプローブ装置３に測定開始許可メッセージを送信するか否かを判断するようになっている。
【００４１】
ここで、測定許可判断部２４は、自己がスループットを測定できる状態にあり、測定開始要求メッセージに含まれる位置情報が表す位置が当該設定情報が表す測定エリアに含まれ、現在時刻が当該設定情報が表す測定時間帯に含まれていると判断した場合には、測定開始要求メッセージの送信元のプローブ装置３に測定開始許可メッセージを通信制御部２１に送信させるようになっている。
【００４２】
測定用データ格納部２５は、フラッシュメモリやハードディスク装置等の不揮発性の記憶媒体によって構成されている。なお、本実施の形態において、測定用データのサイズは、前述したように６０Ｋバイト程度とし、プローブ装置３からアップロードされた測定用データは、測定用データ格納部１６に格納されるものとする。
【００４３】
通信制御部２１は、例えば、ＦＴＰに準拠して測定用データのダウンロードおよびアップロードをプローブ装置３に行わせるＦＴＰサーバとして機能する。スループット測定部２６は、測定用データのダウンロードおよびアップロード時のスループットを測定するようになっている。
【００４４】
スループット測定部２６は、スループットの測定が完了した場合には、プローブ装置３のＩＤ、位置情報が表す位置および測定開始時刻に対応させて測定結果を測定結果格納部２８に格納するようになっている。
【００４５】
一方、スループット測定部２６は、スループットの測定中に、プローブ装置３から送信された測定中止メッセージが通信制御部２１に受信された場合には、スループットの測定を中止するようになっている。
【００４６】
測定結果格納部２８は、フラッシュメモリやハードディスク装置等の不揮発性の記憶媒体によって構成されている。表示部２９は、ディスプレイ装置によって構成され、測定結果を表示するようになっている。
【００４７】
例えば、表示部２９は、測定時間帯毎に、スループットの測定結果が設定部２２等によって設定された閾値以上であった位置、および、スループットの測定結果が当該閾値未満であった位置を色分けする等して地図に重畳させて表示するようになっている。
【００４８】
設定情報格納部２３には、各プローブ装置３の測定条件情報格納部１４に格納させた測定条件情報がさらに格納されており、測定条件更新判断部３０は、プローブ装置３の測定条件情報格納部１４に格納させた測定条件情報を更新する必要があるか否かを判断するようになっている。
【００４９】
具体的には、測定条件更新判断部３０は、プローブ装置３の測定条件情報格納部１４に格納させた測定条件情報が表す測定用データのファイルのパス名およびファイル名が変更されたときに、プローブ装置３の測定条件情報格納部１４に格納させた測定条件情報を更新する必要があると判断するようになっている。
【００５０】
また、測定条件更新判断部３０は、プローブ装置３の測定条件情報格納部１４に格納させた測定条件情報が表す測定時間間隔を変更する必要があると判断したときには、プローブ装置３の測定条件情報格納部１４に格納させた測定条件情報を更新する必要があると判断するようになっている。
【００５１】
ここで、測定条件更新判断部３０は、プローブ装置３から送信された測定開始要求メッセージに含まれる位置情報が表す位置が設定情報格納部２３に格納された設定情報が表す測定エリアに入っているか否か、および、時計２７から得られる現在時刻が当該設定情報が表す測定時間帯に含まれているか否かに基づいて、測定時間間隔を決定し、決定した測定時間間隔と、プローブ装置３の測定条件情報格納部１４に格納させた測定条件情報が表す測定時間間隔とが異なると判断したときには、プローブ装置３の測定条件情報格納部１４に格納させた測定条件情報を更新する必要があると判断するようになっている。
【００５２】
プローブ装置３の測定条件情報格納部１４に格納させた測定条件情報を更新する必要があると測定条件更新判断部３０によって判断された場合には、通信制御部２１は、新たな測定条件情報をプローブ装置３に送信するようになっている。
【００５３】
なお、本実施の形態において、測定条件更新判断部３０は、測定許可判断部２４が測定開始要求メッセージを受信したときに、自己がスループットを測定できる状態にある場合には、測定開始要求メッセージを送信したプローブ装置３の測定条件情報格納部１４に格納させた測定条件情報を更新する必要があるか否かを判断するものとする。
【００５４】
以上のように構成されたスループット測定システム１について図４乃至図７を用いてその動作を説明する。
【００５５】
まず、図４に示すように、プローブ装置３において、測定条件判断部１５によって現在時刻がスループットの測定を開始する時刻になるのを待つ（ステップＳ１）。ここで、現在時刻がスループットの測定を開始する時刻となった場合には、測定条件判断部１５によって移動体２が停止状態にあるか否かが判断される（ステップＳ２）。
【００５６】
ここで、移動体２が停止状態にないと判断された場合には、プローブ装置３の動作は、ステップＳ１に戻る。一方、移動体２が停止状態にあると判断された場合には、通信制御部１３によって情報収集装置５に測定開始要求メッセージが送信される（ステップＳ３）。
【００５７】
測定開始要求メッセージを受信した情報収集装置５では、測定開始要求メッセージを送信したプローブ装置３に測定開始許可メッセージを送信するか否かが測定許可判断部２４によって判断される。
【００５８】
まず、自己がスループットを測定できる状態にあるか否かが測定許可判断部２４によって判断される（ステップＳ４）。ここで、自己がスループットを測定できる状態にないと判断した場合には、情報収集装置５の動作は、測定開始要求メッセージの待ち状態に戻る。
【００５９】
一方、自己がスループットを測定できる状態にあると判断した場合には、測定開始要求メッセージに含まれる位置情報が表す位置および現在時刻が設定情報が表す測定条件を満たすか否かが測定許可判断部２４によって判断される（ステップＳ５）。
【００６０】
ここで、当該位置および現在時刻が測定条件を満たさないと判断された場合には、図５に示す測定条件情報更新処理が実行される（ステップＳ６）。
【００６１】
測定条件情報更新処理においては、まず、プローブ装置３の測定条件情報格納部１４に格納された測定条件情報を更新する必要があるか否かが測定条件更新判断部３０によって判断される（ステップＳ７）。
【００６２】
ここで、プローブ装置３の測定条件情報格納部１４に格納された測定条件情報を更新する必要がないと判断された場合には、測定条件情報更新処理は、終了する。一方、プローブ装置３の測定条件情報格納部１４に格納された測定条件情報を更新する必要があると判断された場合には、通信制御部２１によって新たな測定条件情報がプローブ装置３に送信され（ステップＳ８）、測定条件情報更新処理は、終了する。
【００６３】
新たな測定条件情報を受信したプローブ装置３では、測定条件情報格納部１４に格納された測定条件情報が、通信制御部１３によって新たな測定条件情報に更新される（ステップＳ９）。
【００６４】
図４に戻り、ステップＳ５において、測定開始要求メッセージに含まれる位置情報が表す位置および現在時刻が測定条件を満たすと測定許可判断部２４によって判断された場合には、測定開始許可メッセージが通信制御部２１によってプローブ装置３に送信される（ステップＳ１０）。
【００６５】
測定開始要求メッセージを送信したプローブ装置３では、一定時間（例えば、３秒）以内に、情報収集装置５から測定開始許可メッセージが通信制御部１３に受信されなかった場合には（ステップＳ１１）、プローブ装置３の動作は、ステップＳ１に戻る。
【００６６】
一方、一定時間以内に、情報収集装置５から測定開始許可メッセージが通信制御部１３に受信された場合には、図６に示すように、情報収集装置５の測定用データ格納部２５に格納された測定用データのダウンロードが通信制御部１３によって開始される（ステップＳ１２）。これに伴い、情報収集装置５では、スループット測定部２６によって、下り方向のスループットの測定が行われる（ステップＳ１３）。
【００６７】
測定用データのダウンロードが開始されると、プローブ装置３では、移動体２が停止状態にあるか否かが測定条件判断部１５によって判断され（ステップＳ１４）、移動体２が停止状態にないと判断された場合には、測定条件判断部１５によって通信制御部１３による測定用データのダウンロードが中止され（ステップＳ１５）、通信制御部１３によって、測定中止メッセージが情報収集装置５に送信され（ステップＳ１６）、プローブ装置３の動作は、ステップＳ１に戻る。
【００６８】
測定中止メッセージを受信した情報収集装置５では（ステップＳ１７）、スループット測定部２６による下り方向のスループットの測定を中止し、情報収集装置５の動作は、測定開始要求メッセージの待ち状態に戻る。
【００６９】
プローブ装置３において測定用データのダウンロードが完了すると（ステップＳ１８）、測定用データ格納部１６に格納された測定用データのアップロードが通信制御部１３によって開始される（ステップＳ１９）。これに伴い、情報収集装置５では、スループット測定部２６によって、上り方向のスループットの測定が開始される（ステップＳ２０）。
【００７０】
測定用データのアップロードが開始されると、プローブ装置３では、移動体２が停止状態にあるか否かが測定条件判断部１５によって判断される（ステップＳ２１）。ここで、移動体２が停止状態にないと判断された場合には、測定条件判断部１５によって通信制御部１３による測定用データのアップロードが中止され（ステップＳ２２）、通信制御部１３によって、測定中止メッセージが情報収集装置５に送信され（ステップＳ２３）、プローブ装置３の動作は、ステップＳ１に戻る。
【００７１】
測定中止メッセージを受信した情報収集装置５では（ステップＳ２４）、スループット測定部２６による上り方向のスループットの測定を中止し、情報収集装置５の動作は、測定開始要求メッセージの待ち状態に戻る。
【００７２】
プローブ装置３において測定用データのアップロードが完了すると（ステップＳ２５）、図７に示すように、通信制御部１３によって、測定用データのダウンロードとアップロードとが完了した旨を表す測定完了メッセージが情報収集装置５に送信され（ステップＳ２６）、プローブ装置３の動作は、ステップＳ１に戻る。
【００７３】
測定完了メッセージが情報収集装置５に受信されると、測定条件情報更新処理が実行された後（ステップＳ２７）、スループットの測定結果がスループット測定部２６によって測定結果格納部２８に格納される（ステップＳ２８）。そして、測定結果格納部２８に格納された測定結果が表示部２９に表示され（ステップＳ２９）、情報収集装置５の動作は、測定開始要求メッセージの待ち状態に戻る。
【００７４】
以上に説明したように、本発明の一実施の形態のスループット測定システム１は、移動体２が停止状態にあるときに、スループットの測定の開始を許容するため、プローブ装置３を移動体２に搭載しても、プローブ装置３と無線基地局４との間のスループットを測定することができる。
【００７５】
なお、本実施の形態においては、プローブ装置３が、情報収集装置５の測定用データ格納部２５に格納された測定用データのダウンロードを行った後に、測定用データ格納部１６に格納された測定用データのアップロードを行う例について説明したが、本発明においては、プローブ装置３が、測定用データ格納部１６に格納された測定用データのアップロードを行った後に、情報収集装置５の測定用データ格納部２５に格納された測定用データのダウンロードを行うようにしてもよい。
【００７６】
また、本発明においては、プローブ装置３が、測定用データ格納部１６に格納された測定用データのアップロードと、情報収集装置５の測定用データ格納部２５に格納された測定用データのダウンロードとの一方のみを行うようにしてもよい。
【００７７】
また、本実施の形態においては、情報収集装置５にスループット測定部２６を設け、情報収集装置５がスループットを測定する例について説明したが、本発明においては、スループット測定部をプローブ装置３に設け、スループットの測定結果をプローブ装置３から情報収集装置５に送信し、この測定結果を情報収集装置５の測定結果格納部２８に格納するようにしてもよい。
【００７８】
また、本実施の形態においては、プローブ装置３の通信制御部１３をＦＴＰクライアントとして機能させ、情報収集装置５の通信制御部２１をＦＴＰサーバとして機能させた例について説明したが、本発明においては、プローブ装置３の通信制御部１３をＦＴＰサーバとして機能させ、情報収集装置５の通信制御部２１をＦＴＰクライアントとして機能させるようにしてもよい。
【００７９】
また、本実施の形態においては、プローブ装置３の通信制御部１３と情報収集装置５の通信制御部２１とがＦＴＰに準拠して測定用データを伝送する例について説明したが、本発明において、プローブ装置３の通信制御部１３と情報収集装置５の通信制御部２１とが測定用データを伝送するプロトコルは、ＦＴＰに限定されず、測定用データを伝送できるものであればよい。
【００８０】
また、本実施の形態においては、情報収集装置５の設定部２２によって設定されるスループットの測定条件には、測定エリアと測定時間帯との組み合わせが含まれ、プローブ装置３がこれらの組み合わせの条件を満たすか否かによって、測定時間間隔を決定する例について説明したが、本発明において、情報収集装置５の設定部２２によって設定されるスループットの測定条件には、当該組み合わせに加えて、測定時間間隔を含めてもよい。
【００８１】
情報収集装置５の設定部２２によって設定されるスループットの測定条件に、測定時間間隔を含めることにより、情報収集装置５の利用者が、測定エリア、測定時間帯および測定結果、ならびに、測定結果の収集状況に応じて、測定時間間隔を設定することができるようになる。
【００８２】
また、本実施の形態においては、測定条件更新判断部３０が、測定許可判断部２４が測定開始要求メッセージを受信したときに、自己がスループットを測定できる状態にある場合に、測定開始要求メッセージを送信したプローブ装置３の測定条件情報格納部１４に格納させた測定条件情報を更新する必要があるか否かを判断する例について説明したが、本発明において、測定条件更新判断部３０は、自己がスループットを測定できる状態にあるときに、測定開始要求メッセージを送信したプローブ装置３の測定条件情報格納部１４に格納させた測定条件情報を更新する必要があるか否かを定期的に判断し、通信制御部２１は、測定用データを送信するバンドと別のバンドで測定条件情報を送信するようにしてもよい。
【００８３】
また、本実施の形態においては、プローブ装置３の通信制御部１３が位置情報を測定開始要求メッセージに含めて送信する例について説明したが、本発明において、通信制御部１３は、測定用データを送信するバンドと別のバンドで位置情報を定期的に送信するようにしてもよい。
【００８４】
このように、プローブ装置３の通信制御部１３が、測定用データを送信するバンドと別のバンドで位置情報を定期的に送信し、測定条件更新判断部３０がプローブ装置３の測定条件情報格納部１４に格納された測定条件情報を更新する必要があるか否かを定期的に判断するようにし、測定条件情報に測定のオン／オフを表す情報を含めることにより、測定対象外のプローブ装置３に測定開始要求メッセージを情報収集装置５に送信させないようにすることができる。
【図面の簡単な説明】
【００８５】
【図１】本発明の一実施の形態のスループット測定システムのブロック図である。
【図２】本発明の一実施の形態のプローブ装置のブロック図である。
【図３】本発明の一実施の形態の情報収集装置のブロック図である。
【図４】本発明の一実施の形態のスループット測定システムの動作を説明するためのシーケンス図である。
【図５】本発明の一実施の形態のスループット測定システムにおける測定条件情報更新処理を説明するためのシーケンス図である。
【図６】図４に続くシーケンス図である。
【図７】図６に続くシーケンス図である。
【符号の説明】
【００８６】
１  スループット測定システム
２  移動体
３  プローブ装置
４  無線基地局
５  情報収集装置
１０  移動速度検出部
１１  ＧＰＳ
１２  アンテナ
１３  通信制御部
１４  測定条件情報格納部
１５  測定条件判断部
１６  測定用データ格納部
２０  基地局ＩＦ
２１  通信制御部
２２  設定部
２３  設定情報格納部
２４  測定許可判断部
２５  測定用データ格納部
２６  スループット測定部
２７  時計
２８  測定結果格納部
２９  表示部
３０  測定条件更新判断部
【図２】
2010130171.tif 000003
【図３】
2010130171.tif 000004
【図４】
2010130171.tif 000005
【図５】
2010130171.tif 000006
【図６】
2010130171.tif 000007
【図７】
2010130171.tif 000008
【図１】
2010130171.tif 000009